【手続補正書】
【提出日】平成16年9月15日(2004.9.15)
【手続補正１】
【補正対象書類名】明細書
【補正対象項目名】全文
【補正方法】変更
【補正の内容】
【書類名】      明細書
【発明の名称】  印刷が施された生分解性プラスチックフィルム
【特許請求の範囲】
【請求項１】  少なくとも片面に印刷が施されている生分解性プラスチックフィルムにおいて、
前記印刷によって前記プラスチックフィルムに形成される印刷部位の内側に非印刷部分がほぼ一様に分布し、その非印刷部分の全体が前記印刷部位の面積の１０〜２０％を占めていることを特徴とする前記プラスチックフィルム。
【請求項２】  前記非印刷部分は、複数の個別の非印刷部分からなり、前記個別の非印刷部分は前記印刷部位を形成する印刷インクによって囲まれた内側の互いに直交する二方向の寸法が１５〜３０μｍの範囲にある請求項１記載のプラスチックフィルム。
【請求項３】  前記個別の非印刷部分は、前記プラスチックフィルムの厚さの２倍よりも小さい距離の範囲内に少なくとも１つの隣接する前記個別の非印刷部分を有している請求項２記載のプラスチックフィルム。
【請求項４】  前記印刷部位は、袋の形態を成す前記プラスチックフィルムの外面に形成されている請求項１〜３のいずれかに記載のプラスチックフィルム。
【請求項５】  前記袋が使い捨ておむつ、使い捨てトレーニングパンツ、生理用ナプキンのいずれかを包装するためのものである請求項４記載のプラスチックフィルム。
【請求項６】  前記生分解性プラスチックフィルムがポリエチレンサクシネート、ポリブチレンサクシネートおよびポリ乳酸のいずれかである請求項１〜５のいずれかに記載のプラスチックフィルム。
【発明の詳細な説明】
【０００１】
【発明の属する技術分野】
この発明は、印刷が施された生分解性プラスチックフィルムに関する。
【０００２】
【従来の技術】
従来、生分解性プラスチックフィルムおよび印刷が施された同フィルムは周知である。また、これらのフィルムによって作られた袋も周知である。このフィルムは土壌細菌等の土壌微生物の作用によって分解するから、それが地中に埋められても長期間にわたって地中に残留するということがなく、環境上好ましい。
【０００３】
【発明が解決しようとする課題】
しかるに、生分解性プラスチックフィルムに印刷を施すと、印刷インクの皮膜が細菌の作用を妨げてフィルムの分解が進まなくなるとか、極めて遅くなるとかという場合が生じて、このフィルムの使用目的を達成できないことがある。
【０００４】
この発明では、印刷を施した生分解性プラスチックフィルムにおいて、その印刷によってフィルムの生分解性を妨げることがないように改良することを課題にしている。
【０００５】
【課題を解決するための手段】
前記課題を解決するために、この発明が対象とするのは、少なくとも片面に印刷が施されている生分解性プラスチックフィルムである。
【０００６】
かかる生分解性プラスチックフィルムにおいて、この発明が特徴とするところは、前記印刷によって前記プラスチックフィルムに形成される印刷部位の内側に非印刷部分がほぼ一様に分布し、その非印刷部分の全体が前記印刷部位の面積の１０〜２０％を占めていること、にある。
【０００７】
この発明には、次のような好ましい実施態様がある。
（１）前記非印刷部分は、複数の個別の非印刷部分からなり、前記個別の非印刷部分は前記印刷部位を形成する印刷インクによって囲まれた内側の互いに直交する二方向の寸法が１５〜３０μｍの範囲にある。
（２）前記個別の非印刷部分は、前記プラスチックフィルムの厚さの２倍よりも小さい距離の範囲内に少なくとも１つの隣接する前記個別の非印刷部分を有している。
（３）前記印刷部位は、袋の形態を成す前記プラスチックフィルムの外面に形成されている。
（４）前記袋は、使い捨ておむつ、使い捨てトレーニングパンツ、生理用ナプキンのいずれかを包装するためのものである。
（５）前記生分解性プラスチックフィルムは、ポリエチレンサクシネート、ポリブチレンサクシネートおよびポリ乳酸のいずれかである。
【０００８】
【発明の実施の形態】
添付の図面を参照して、この発明に係る印刷が施された生分解性プラスチックフィルムの詳細を説明すると、以下のとおりである。
【０００９】
図１は、使い捨ておむつ、使い捨てトレーニングパンツ、生理用ナプキン等の使い捨て体液吸収性物品を包装してなる個袋１の斜視図である。個袋１は、生分解性のプラスチックフィルム２からなるもので、その表面にはＵ字を呈する印刷部位５と、印刷部位５の外側に位置する非印刷部位６とが形成され、上下端部３，４がフィルム２どうしのヒートシールや接着等によって密封されている。
【００１０】
かようなフィルム２は、例えばポリエチレンサクシネート、ポリブチレンサクシネート、ポリ乳酸等からなるもので、土壌細菌等の土壌微生物の作用を受けて分解する。個袋１には、これらのプラスチックからなる厚さ１０〜１００μｍのフィルムを使用することが好ましい。そのようなフィルム２であれば、個袋１の強度や包まれるおむつ等の中身に対する密着性が良好である。
【００１１】
図２は、図１に仮想線で囲まれた個袋１の要部を拡大して示す図であって、印刷部位５と非印刷部位６との一部分が示されている。印刷部位５は、その外形が印刷インク１０によって画成されており、部位５の内側に多数の個別の非印刷部分７を有する。個別の非印刷部分７は、印刷インク１０によって囲まれており、印刷部位５の内側にほぼ一様に分布している。好ましい個別の非印刷部分７の大きさは、互いに直交する二方向の寸法が１５〜３０μｍの範囲にあって、個別の非印刷部分７の全体は、印刷部位５の面積のうちの１０〜２０％を占めている。
【００１２】
図３は、図２のＩＩＩ−ＩＩＩ線に沿った印刷部位５の断面図である。フィルム２は厚さｔを有し、互いに隣接する個別の非印刷部分７は距離ｐだけ離れている。好ましい個別の非印刷部分７は、少なくとも１つの隣接する非印刷部分７との距離ｐがフィルム２の厚さｔの２倍よりも小さい。
【００１３】
印刷部位５が図２，３のように形成されている個袋１は、中身であるおむつ等が取り出された後に、例えば地中に埋められて個袋１の外面側から土壌微生物の作用を受けると、フィルム２のうちの非印刷部位６は速やかに分解し始めることが可能である。印刷部位５では、印刷インク１０が生分解性のものでなければ、印刷インク１０を介して微生物の作用がフィルム２に及ぶことは稀である。しかし、非印刷部分７においては、微生物の作用がフィルム２に及ぶ。特に、隣り合う個別の非印刷部分７がフィルム２の厚さｔの２倍よりも小さい距離ｐで接近していると、微生物の作用はフィルム２の厚さ方向ばかりではなく、隣り合う個別の非印刷部分７と７との間のインク１０で覆われている部分をも厚さ方向と同じように速やかに分解することが可能になる。個別の非印刷部分７の全体が印刷部位５の面積の１０〜２０％を占めるときには、非印刷部分７が印刷部位５の外観に悪影響を与えることがなく、また、フィルム２のうちで印刷インク１０で覆われている部分の生分解速度を非印刷部分７のそれに近づけることができる。個袋１は、それが袋の形ではなくて、切り広げられて１枚のフィルムと化してフィルムの両面から土壌微生物の作用を受ける場合には、分解が一層速やかになる。
【００１４】
この発明において、印刷部位５は、図示例と異なりフィルム２の両面に形成することもできる。また、印刷部位５を有するフィルム２の用途には格別の制約がない。図示例の個袋１は、その用途の一例にすぎない。非印刷部分７は、図示例のように個別のものではなくて、印刷部位５の内側において連続した筋を形成するものであってもよい。
【００１５】
【発明の効果】
この発明に係る印刷を施された生分解性プラスチックフィルムは、印刷部位の内側に非印刷部分が一様に分布しているから、その印刷部位は印刷インクによって生分解を妨げられるということがない。
【図面の簡単な説明】
【図１】
印刷を施された生分解性プラスチックフィルムの用途例を示す図。
【図２】
図１の要部拡大図。
【図３】
図２のＩＩＩ−ＩＩＩ線断面図。
【符号の説明】
２      プラスチックフィルム
５      印刷部位
７      非印刷部分
ｐ      距離
ｔ      厚さ
【手続補正２】
【補正対象書類名】図面
【補正対象項目名】図３
【補正方法】変更
【補正の内容】
【図３】
2003292640.tif 000001